(57)【要約】      （修正有）【課題】静電気等により妨害を受けても表示画面が乱れないカメラ付き携帯電子機器を提供する。【解決手段】制御部１５は、カメラ画像処理部１４を監視し、画像信号に対する処理タイミングのずれを検出した場合には、カメラ画像処理部１４が行っている画像信号の表示部８への出力動作をリセットする。カメラ画像処理部１４はタイミングのずれが生じた画像をオフセットする。このような動作によって、静電気等によるノイズ等による誤動作を防ぐことが可能となる。【選択図】図４
2011035461.tif 000002
【特許請求の範囲】
【請求項１】
撮影画像の画像信号と共に同期信号を出力するカメラ部と、
前記カメラ部から出力された前記画像信号を処理するカメラ画像処理部と、
前記カメラ画像処理部から出力された画像信号に基づく画像を表示する表示部と、
前記カメラ画像処理部を制御する制御部と、を有し、
前記カメラ画像処理部は、前記同期信号に基づいて内部で独自に生成したタイミングに基づいてカメラ部から出力される前記画像信号に基づく画像の処理を継続的に実行し、
前記制御部は、
前記カメラ画像処理部を監視し、
前記画像信号に対する処理タイミングのずれを検出した場合には、前記カメラ画像処理部が行っている前記画像信号の前記表示部への出力動作をリセットする
携帯電子機器。
【請求項２】
前記制御部は、前記カメラ部の動作モードが静止画モードであるか、動画モードであるかを検出する動作モード検出手段を有し、
前記動作モード検出手段が検出する動作モードに応じて、前記カメラ画像処理部の動作リセットする条件を異ならせる
請求項１に記載の携帯電子機器。
【請求項３】
前記制御部は、前記タイミングのずれが一定範囲内の場合には、前記カメラ画像処理部のリセットを停止する
請求項１又は２に記載の携帯電子機器。
【請求項４】
前記制御部は、前記タイミングのずれが一定範囲を超えた場合に、ずれが生じた画像の配置を入れ替える
請求項１〜３いずれか１項に記載の携帯電子機器。
【請求項５】
前記制御部は、前記タイミングのずれが一定範囲を超えた場合に、ずれが生じた画像をオフセットする
請求項１〜４いずれか１項に記載の携帯電子機器。
【発明の詳細な説明】
【技術分野】
【０００１】
本発明は、カメラ部を備えた携帯電話機、ＰＤＡ、携帯型ゲーム機、携帯用テレビ、携帯用ラジオ等の携帯電子機器に関する。
【背景技術】
【０００２】
特許文献１には、電子部品と電気的に接続されるメイン基板とを備えた携帯電子機器において、筐体の内面側にカメラ、スピーカ等の電子部品を収納して保持する保持部が形成され、前記保持部の内面に導電塗装がなされる導電部位を備え、前記導電部位が前記メイン基板と電気的に接続される携帯電子機器が開示されている。
【先行技術文献】
【特許文献】
【０００３】
【特許文献１】特開２００８‐１３０９１２号公報
【発明の概要】
【発明が解決しようとする課題】
【０００４】
しかしながら、特許文献１に記載の携帯電子機器においては、電子部品の静電気対策のために、筐体内部に配置された導電塗装によって、アンテナ性能の劣化のおそれがあった。
【０００５】
本発明の目的は、静電気等により妨害を受けても表示画面が乱れないカメラ付き携帯電子機器を提供することである。
【課題を解決するための手段】
【０００６】
本発明の携帯電子機器は、撮影画像の画像信号と共に同期信号を出力するカメラ部と、前記カメラ部から出力された前記画像信号を処理するカメラ画像処理部と、前記カメラ画像処理部から出力された画像信号に基づく画像を表示する表示部と、前記カメラ画像処理部を制御する制御部と、を有し、前記カメラ画像処理部は、前記同期信号に基づいて内部で独自に生成したタイミングに基づいてカメラ部から出力される前記画像信号に基づく画像の処理を継続的に実行し、前記制御部は、前記カメラ画像処理部を監視し、前記画像信号に対する処理タイミングのずれを検出した場合には、前記カメラ画像処理部が行っている前記画像信号の前記表示部への出力動作をリセットする。
【０００７】
好適には、前記制御部は、前記カメラ部の動作モードが静止画モードであるか、動画モードであるかを検出する動作モード検出手段を有し、前記動作モード検出手段が検出する動作モードに応じて、前記カメラ画像処理部の動作リセットする条件を異ならせる。
【０００８】
好適には、前記制御部は、前記タイミングのずれが一定範囲内の場合には、前記カメラ画像処理部のリセットを停止する。
【０００９】
好適には、前記制御部は、前記タイミングのずれが一定範囲を超えた場合に、ずれが生じた画像の配置を入れ替える。
【００１０】
好適には、前記制御部は、前記タイミングのずれが一定範囲を超えた場合に、ずれが生じた画像をオフセットする。
【発明の効果】
【００１１】
本発明によると、静電気等により妨害を受けても表示画面が乱れないカメラ付き携帯電子機器を提供することができる。
【図面の簡単な説明】
【００１２】
【図１】本発明の実施形態に係る携帯電話機の外観を開状態で示す斜視図である。
【図２】図１の反対方向から見た外観の斜視図である。
【図３】図１及び図２の携帯電話機の信号処理系を示すブロック図である。
【図４】図１及び図２に記載された携帯電話機１の信号処理の説明図である。
【図５】カメラ部が出力する画像信号の説明図である。
【図６】カメラ部及びカメラ画像処理部が出力する画像信号の説明図である。
【図７】静電気等によって１フレームにずれが生じる場合についての説明図である。
【図８】カメラ画像処理部の処理フローを表すフローチャートである。
【図９】制御部の処理フローを表すフローチャートである。
【図１０】第１の変形例の説明図である。
【図１１】第２の変形例の説明図である。
【図１２】第３の変形例の説明図である。
【図１３】第４の変形例の説明図である。
【図１４】拡大時における第４の変形例の説明図である。
【発明を実施するための形態】
【００１３】
図１は、本発明の実施形態に係る携帯電話機１の外観を開状態で示す斜視図である。
【００１４】
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１５】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１６】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００１７】
また、図１のように、第２筐体フロントケース６の表面方向には、入力部１０が配置されている。この入力部１０をユーザが操作することによって、携帯電話機１に命令の入力、文字の入力等がなされる。
【００１８】
図２は、図１の反対方向から見た外観の斜視図である。
【００１９】
図２のように、第２筐体リアケース７の表面にカメラ部１３が形成されている。
もっとも、カメラ部１３の位置はこの位置に限定する趣旨ではなく例えば第１筐体リアケース５に形成されていてもよいし、さらに別の位置（ヒンジ部９、第１筐体フロントケース４、第２筐体フロントケース６、携帯電話機１とは別部材から成るカメラユニット等）に形成されていてもよい。
【００２０】
カメラ部１３は、ＣＣＤ（Charge Coupled Device Image Sensor）、ＣＭＯＳセンサ、（Complementary Metal Oxide Semiconductor Sensor）等によって形成されている。
カメラ部１３は、レンズを移動させる光学ズーム機構を備えていてもよい。
【００２１】
図３は、図１及び図２の携帯電話機１の信号処理系を示すブロック図である。
【００２２】
図３に示されるように、携帯電話機１は、制御・処理の中枢である制御部１５と、通信部５１と、記憶部１８、タイマ２２、インターフェース５２、入力部１０、音声入出力部５３及び表示部８のそれぞれが、アドレス、データ、コントロールのためのラインが複数本からなるシステムバス５８に共通に接続され、構成される。
【００２３】
通信部５１は、無線通信システムを捕捉し、通信ネットワークに接続される基地局３００との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
【００２４】
入力部１０は、キー及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部１５に出力する。
【００２５】
音声入出力部５３は、スピーカから出力される音声信号やマイクロフォンにおいて入力される音声信号の入出力処理を行う。
【００２６】
表示部８は、例えばＬＣＤやＯＬＥＤを用いて構成されており、制御部１５から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
本実施例においては、表示部８はカメラ部１３が撮影した画像を表示する。
【００２７】
インターフェース５２は、カメラ部１３が撮影した画像を処理する。
カメラ部１３は、ＣＣＤやＣＭＯＳセンサ等の光電変換素子とその制御回路等により構成されるカメラである。
【００２８】
記憶部１８では、携帯電話機１の各種処理に利用される各種データを記憶する。記憶部１８は、例えば制御部１５が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
本実施例では特に、記憶部１８は後述するＶＳＹＮＣの立ち上がり時点から取り込み完了信号が発信される期間（Ａ期間）を前もって記憶しておく機能を有する。
このＡ期間は、カメラ部１３が撮影する画像の解像度、倍率等に応じて定められる。このＡ期間は、工場出荷時に予め記憶しておく。
【００２９】
なお、記憶部１８は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３０】
タイマ２２は、時間情報を発生し信号を発信する。この信号を受けて携帯電話機１の各種の電子機器は時間情報を取得することが可能となる。
本実施例においては特に、タイマ２２は制御部１５及び図４で示されるカメラ画像処理部１４に時間情報を発信する。
【００３１】
制御部１５は、携帯電話機１の全体的な動作を統括的に制御する。
すなわち、制御部１５は、携帯電話機１の各種処理（回線交換網を介して行われる音声通話、電子メールの作成と送受信等）が入力部１０の操作に応じて適切な手順で実行されるように、上述した各ブロックの動作（通信部５１における信号の送受信、表示部８における画像の表示等）を制御する。
さらに、制御部１５は、記憶部１８に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１５は、記憶部１８に格納されるオペレーティングシステムやアプリケーションプログラム等のプログラムから命令コードを順次受け取って処理を実行する。
【００３２】
本実施形態において特に、制御部１５は、カメラ画像処理部１４において静電気による処理の異常があった場合に、これを修正する機能を有している。
詳細は後述するが、カメラ画像処理部１４が出力する画像信号が同期する同期信号が適切なものよりもズレしまった場合に、これを検出して、カメラ画像処理部１４にリセット信号を発信する機能を果たす。
【００３３】
通常、制御部１５は、カメラ部１３が出力した画像信号に各種画像処理を行う。そして画像処理された画像情報を記憶部１８に記憶させる。若しくは、画像処理された画像情報を、表示画像処理部２１を介して表示部８に表示させる。もっともこの処理は本発明において問題とする画像処理ではなく、後述するカメラ部１３、カメラ画像処理部１４、表示画像処理部２１及び表示部８で順次処理される画像処理過程を特に問題としている。つまり、本実施例において問題としているのは画像処理を制御部１５がメインで行わない場合における画像処理の流れである。
【００３４】
図４は、図１及び図２に記載された携帯電話機１の信号処理の説明図である。
【００３５】
図４に示されるように、携帯電話機１は、カメラ部１３、チップセット１６、記憶部１８及び表示部８を有する。
さらに、チップセット１６は、カメラ画像処理部１４、表示画像処理部２１、タイマ２２、制御部１５を有している。
【００３６】
カメラ部１３は、映像を静止画又は動画として電子的な情報信号に変換する。
そして、カメラ部１３は、画像の縦方向における画像の同期をとる同期信号（ＶＳＹＮＣ）に同期して、後述するカメラ画像処理部１４に画像信号を出力する（図５を参照）。
また、この同期信号（ＶＳＹＮＣ）は、カメラ画像処理部１４及び制御部１５にも出力される。
カメラ画像処理部１４は、この同期信号（ＶＳＹＮＣ）に基づいて、処理の開始時点Ｆ及びＡ期間を決定している。
【００３７】
カメラ部１３から出力された信号を受けたカメラ画像処理部１４は、さらに表示画像処理部２１に画像を出力する。
カメラ画像処理部１４が表示画像処理部２１に対して行う出力については、その出力開始地点（Ｆとして図６及び図７に記載されている）及び出力するデータ数（Ａ期間として図６及び図７に記載されている）が制御部１５によって設定されている。
制御部１５が設定したこの開始地点及び出力するデータ数に従って、カメラ画像処理部１４は表示画像処理部２１に対して画像信号を出力する。
電子ズームがない場合には、図６のように、出力開始時点（Ｆ）及び出力するデータ数（Ａ期間）は、カメラ部１３が出力する信号の同期信号と同一の信号となる。
他方、電子ズームがある場合には、図１２のように、出力開始時点（Ｆ）及び出力するデータ数（Ａ期間）は、カメラ部１３が出力する信号の同期信号とは異なる形状になる。
なお、図５、図６、図１０及び図１２については後述する。
【００３８】
カメラ画像処理部１４から出力された信号を受けた表示画像処理部２１は、さらに表示部８に画像を出力する。
表示画像処理部２１は、表示部８が表示するのに適切になるように、画像信号を画像処理する。
【００３９】
表示画像処理部２１から出力された信号を受けた表示部８は、画像信号に基づいて画像を表示する。
つまり、表示部８はカメラ部１３が撮影した全部または一部の画像を表示する。
以上記載した画像情報の処理の流れが、本実施例において特に問題とする画像処理の流れである。
【００４０】
制御部１５は、カメラ画像処理部１４が表示画像処理部２１に対して行う出力に対して、その出力開始地点（Ｆとして図６及び図７に記載されている）及び出力するデータ数（Ａ期間として図６及び図７に記載されている）を設定する信号を発信する。
制御部１５が設定する出力するデータ数（Ａ期間として図６及び図７に記載されている）は、ズームの倍率及び解像度等によってあらかじめ分っているので、その情報は記憶部１８に記憶されている。
この記憶されている出力するデータ数（A期間）は、工場出荷時に設定しておく。もっとも、必ずしも前もっての設定が必須ではなく制御部１５が設定する時に、制御部１５が算出しても良い。
【００４１】
本実施形態においては、制御部１５は、カメラ画像処理部１４が表示画像処理部２１に出力する画像信号が、静電気等によってずれてしまった場合にリセット信号をカメラ画像処理部１４に発信する。具体的な方法は後述（特に図９の説明部分で記述）する。
【００４２】
タイマ２２は、時間経過を測定するための基本となる時間信号を発信する。この時間信号は携帯電話機１が作動する場合の基本となる基本周波数となる。
このタイマ２２から発信された基本周波数に基づいてカメラ部１３が出力する信号の同期信号が作成され、このカメラ部１３が出力する信号の同期信号に同期してカメラ部１３が画像情報を出力する（図６参照）。
また、カメラ画像処理部１４が出力する信号の同期信号もこの基本周波数に基づいて作成される。そして、カメラ画像処理部１４が出力する信号の同期信号に基づいてカメラ画像処理部１４は画像情報を表示画像処理部２１に出力する。
さらに、制御部１５はタイマ２２からのこの基本周波数にもとづいて、後述する方法でカメラ画像処理部１４が静電気等によって誤作動していないか監視し、誤作動がある場合にはカメラ画像処理部１４に対してリセット信号を発信する。
【００４３】
入力部１０は、ユーザによる入力を受け付ける。
記憶部１８は、解像度・拡大率等に応じて出力するデータ数（Ａ期間）を記憶しており、制御部１５はこのデータ数（Ａ期間）を読み出して利用している。
【００４４】
図５は、カメラ部１３が出力する画像信号の説明図である。
【００４５】
図５のように、カメラ部１３はカメラ部１３が出力する信号の同期信号に同期して画像信号を出力している。
図５において、時間は紙面上から下へ進行する。
また、カメラ部１３が出力する信号の同期信号は、右側に位置しているときに場合にカメラ部１３は画像情報の信号を出力する。
時間の流れ及び同期信号の説明は、図６、図７及び図１２においても同様である。
【００４６】
図６は、カメラ部１３及びカメラ画像処理部１４が出力する画像信号の説明図である。
【００４７】
図６（ａ）のように、カメラ部１３の出力する信号の同期信号とカメラ画像処理部１４が出力する信号の同期信号とが、正しく、一致する場合には、図６（ｂ）のように、表示部８には正しい画像情報が表示される。
このことは表示部８が拡大して表示する場合であっても同様である。
つまり、図１２の３つあるうちの一番上側にある図のように、正しくカメラ部１３が出力する信号の同期信号とカメラ画像処理部１４が出力する信号の同期信号が同期している場合にも、表示部８には拡大表示が行いたい部分が正しく表示される。
【００４８】
しかし、カメラ部１３の出力する信号の同期信号とカメラ画像処理部１４が出力する信号の同期信号とが、不適切にずれてしまう場合には、表示部８にはずれた画像が表示されてしまう。
前述のように、カメラ画像処理部１４は、制御部１５によって開始時点及び出力するデータ数（Ａ期間）が設定されている。
その設定は、設定が変化した場合にのみ通知されるのであるから、一度ずれが生じてしまうと、ずれた開始時点Ｆは修正されず、それ以降も引き続き、ずれた時点が開始時点Ｆとなってしまう。
その上、出力するデータ数（Ａ期間）も設定された数だけ必ず出力されるのであるから、Ｂ期間のデータのみならずＣ期間のデータも同じくカメラ画像処理部１４は出力してしまう。
その結果、１フレームの画像がずれて表示部８に表示されることになる。
通常は、カメラ部１３の出力する信号の同期信号とカメラ画像処理部１４が出力する信号の同期信号とは一致しており、このように、ずれが生じない。しかし、静電気等によってこのようなことが生じうる。
【００４９】
図７は、静電気等によって１フレームにずれが生じる場合についての説明図である。
【００５０】
静電気等がない場合における制御部１５によって設定される、カメラ画像処理部１４の処理の開始時点Ｆは、図７（ａ）のような位置である。
しかし、静電気等が発生すると、カメラ画像処理部１４に異常が生じてしまう。そうすると開始時点Ｆが本来の位置からずれてしまう。
そして、そのずれた位置から、カメラ画像処理部１４は画像情報の信号を表示画像処理部２１に対して、設定された出力するデータ数（Ａ期間）だけ表示画像処理部２１に映像を出力してしまう。
つまり、カメラ画像処理部１４は、まずＢ期間を出力し、それに加えてＣ期間も出力する。
それを受けた表示画像処理部２１は、そのデータが送られてきた順序のとおり、まずＢ期間を表示しそれに続けてＣ期間も表示する。
その結果、図７の（ｂ）のような画像を表示する。
【００５１】
そこで、本実施例では、カメラ画像処理部１４に取り込み完了信号を発生させるようにする。
その信号を受けた制御部１５が、１フレームがずれていないか判定する。そして、制御部１５は、１フレームがずれていると判断した場合には、カメラ画像処理部１４に対してリセット信号を発信する。
これを受けた、カメラ画像処理部１４は、カメラ画像処理部１４が出力する信号の同期信号の開始時点Ｆをリセットする。
【００５２】
どのようにして、１フレームがずれているのかを判定する方法について記載する。
まず、カメラ画像処理部１４が画像情報を表示画像処理部２１に出力を開始（取り込みを開始）した場合に、カメラ画像処理部１４は取り込み開始信号を制御部１５に対して発信する。
その取り込み開始信号を受けた制御部１５は、タイマ２２からの時間情報を利用して経過時間を測定開始する。
その後、カメラ画像処理部１４から取り込み完了信号を受けた時点まで、制御部１５は経過時点を測定する。
これによって、取り込み開示から取り込み完了までの時間（Ｂ期間が該当）が測定される。
この測定された時間（Ｂ期間）と、記憶部１８に記憶されている本来の期間（Ａ期間）を比較して、もしＢ期間がＡ期間よりも短い場合には、１フレームがずれていると判断する。
そしてその場合に、制御部１５はリセット信号を、カメラ画像処理部１４に発信するのである。
なお、前出したが、Ａ区間は解像度、拡大率等によって異なる値を有しており、前もって記憶部１８に記憶されている。
【００５３】
もっとも、本来は、Ａ期間―Ｂ期間＞０であれば、制御部１５はリセット信号を発信するのが望ましいが、誤差等によって多少、Ａ期間とＢ期間とが一致しないことが考えられる。
また、１フレームにずれが生じてしまっていても、それが僅かであればわざわざリセット処理を行う必要は必ずしもない。
そこで、１フレームがずれているとしてリセットを行うのは、Ａ―Ｂ＞ｔの場合としている。
なお、ｔ値も前もって決定されており記憶部１８に記憶されている。
【００５４】
図８は、カメラ画像処理部１４の処理フローを表すフローチャートである。
【００５５】
ステップＳＴ０１において、制御部１５から指示入力があるか判断する。そして、指示入力がある場合にはステップＳＴ０２に移行する。
一方、指示入力がない場合には指示入力があるまで待機する。
【００５６】
ステップＳＴ０２において、制御部１５からなされた指示入力がリセット入力であるか判断している。
なお、リセット入力ではない通常の設定入力であっても同様である。
そして、指示入力が設定入力である場合には、カメラ画像処理部１４は、ステップＳＴ０３において設定を行う。
そうではない場合には、ステップＳＴ０４における処理に移行する。
【００５７】
ステップＳＴ０３において、設定処理を行う。なお、この設定処理は図６のＤ期間において行われる。
【００５８】
ステップＳＴ０４において、画像情報の取り込み開始タイミングかの判断を行う。図６のＤ期間には画像の取り込みは行われないからである。
【００５９】
ステップＳＴ０５において、画像情報の取り込みを開始する。
【００６０】
ステップＳＴ０６において、終了タイミングか判定する。終了タイミングでなければ、再度ステップＳＴ０５に移行して、画像情報の取り込みを行う。
【００６１】
ステップＳＴ０７において、指示信号の入力があったか判断する。そして、終了信号の入力であった場合には処理を終了する。
一方、終了信号ではない場合には、ステップＳＴ０２に移行して再度処理を行う。
【００６２】
このように、カメラ画像処理部１４は、制御部１５からリセット信号があった場合には、再度ステップＳＴ０３において、設定処理を行うので、１フレームのずれが修正される。
【００６３】
図９は、制御部１５の処理フローを表すフローチャートである。
【００６４】
ステップＳＴ２１において、撮像処理中であるか否か判断する。
そして、撮像処理中であればステップＳＴ２２以下の処理に移行する。
そうでなければ、再度ステップＳＴ２１を繰り返す。撮像処理中でなければ、以下の処理を行う必要はないからである。
【００６５】
ステップＳＴ２２において、ユーザからの指示入力を受け付ける。
【００６６】
ステップＳＴ２３において、ユーザからの指示入力部の内容がカメラ部１３の設定入力であるかを判断する。
そして、ユーザからの指示入力でないならば、処理を終了するステップＳＴ３１に移行する。
一方、指示入力がユーザからの設定入力である場合には、ステップＳＴ２４の処理に移行する。
【００６７】
ステップＳＴ２４において、制御部１５はカメラ画像処理部１４に設定信号を発信する。
【００６８】
ステップＳＴ１４において、記憶部１８から基準となる取り込み期間（Ａ期間）を読み出す。
【００６９】
ステップＳＴ２６において、カメラ画像処理部１４が発信する取り込み完了信号を受信する。
【００７０】
ステップＳＴ２７において、取り込み開始から取り込み完了信号が通知されるまでの期間（Ｂ期間）を、タイマ２２からの時間信号に基づいて算出する。
【００７１】
ステップＳＴ２８において、Ａ−Ｂの値がｔ以上であるか否かを判定する。
そして、Ａ―Ｂがｔ以上である場合には、１フレームの誤差が許容値をこえているものとして、これをリセットするステップＳＴ２９の処理に移行する。
一方、ｔ値以内である場合には、ステップＳＴ３０の処理に移行する。
ここで、一定値（ｔ）以上であるかによって判断を行う理由について説明する。
理想的には、Ｂ期間がＡ期間よりも少しでも短い場合（Ａ-Ｂ＞０の場合）には１フレームにずれがあるとして、リセットしてずれを修正する必要がある。
しかし、現実には、回路内の様々な誤差、制御部１５における処理遅れ等の理由によって、完全にＡ＝Ｂとすることは困難である。
そこで、Ａ期間よりもＢ期間が短くても一定範囲であればずれは生じていないものとして処理する必要がある。
逆にいうと、一定値（ｔ）を設定することによって、誤差や僅かなノイズ等による誤動作を防ぐことが可能となる。
【００７２】
なお、一定値（ｔ）は任意に設定することが可能である。
たとえば、カメラ部１３から出力されているのが動画であれば、圧縮等の多くの処理を同時に行わなければならず、制御部１５がその処理のために遅れて、誤検出の可能性が増えるため、一定値（ｔ）は大きくとる必要がある。
一方、写真等の静止画の場合には、そのような可能性が少ないため一定値（ｔ）は小さくとる必要がある。
【００７３】
ステップＳＴ２９において、画像の最初として認識する部分を元に戻すリセットを行う。
このリセット設定は、新たにカメラ画像処理部１４に設定入力を行うことによって行われる（図８のステップＳＴ０３が該当）。
【００７４】
ステップＳＴ３０において、画像処理が終了したか判断する。
そして、画像処理が終了していない場合には、再度ステップＳＴ２３から処理を繰り返す。
【００７５】
ステップＳＴ３１において、終了処理が行われる。
【００７６】
以上のように、Ａ期間とＢ期間を比較して、Ｂ期間が一定以上短い場合にはリセットすることから、カメラ画像処理部１４が静電気によって誤作動しても、これを修正することができる。
これによって、静電気対策として通電板を携帯電話機１内部に張ることなく静電対策をすることができる。
このことは、つまり、通電板を携帯電話機１内部に張ってアンテナの感度を下げることなく静電対策をすることができることを意味する。
【００７７】
また、長時間露光としている場合においても、伸びるのは図６におけるＤ期間だけであることから、特段の処理を行わなくても済む。
【００７８】
＜第１の変形例＞
前述した、実施形態においては静電気によって画像にずれが生じてしまった場合にはリセットするだけであったが、より有利な実施例を記載する。
【００７９】
図１０は、第１の変形例の説明図である。
【００８０】
図１０（ａ）のように、ずれが生じてしまった場合にはそのまま表示してしまうと、基の画像がどのようなものであるかユーザが認識することは困難である。
そこで、図１０（ｂ）のように上下の画像を入れ替えて表示すれば、ユーザは基の画像を認識することが容易になる。
【００８１】
＜第２の変形例＞
前述した、実施形態においては静電気によって画像にずれが生じてしまった場合にはリセットするだけであったが、より有利な実施例を記載する。
【００８２】
図１１は、第２の変形例の説明図である。
【００８３】
図１１（ａ）のように、ずれが生じてしまった場合にはそのまま表示してしまうと、基の画像がどのようなものであるかユーザが認識することは困難である。
この際、第１の変形例のように上下の画像を入れ替えることができれば問題がないが、その場合には、制御部１５に負荷をかけてしまうため不可能な場合もある。
その場合には、上下の一方のみを表示する方がユーザに分かりやすい場合がある。
そして、その場合に、表示されない方の部分に何も描写しないと、ユーザが認識することができる画像が画面の上又は下に偏ってしまう。
そこで、表示する画像をオフセットして表示部８の中央に表示するようにすれば、このようなことは生じない。
そのようにすると、図１１（ｂ）のように画像を表示部８の中央に表示することができる、そして、このようにすれば、ユーザに無駄なストレスを掛けずに済むという効果がある。
【００８４】
＜第３の変形例＞
図１２は、第３の変形例の説明図である。
【００８５】
本発明は、電子的に拡大（ズーム）して表示が行われている場合にも同じく適用可能である。
図１２（ａ）の一番上図のようにズームする場合には、カメラ部１３が画像信号の一部の区間（開始時点Ｆ及び期間Ａ）を出力し、同期信号はその期間に合わせて変化する。
なお、電子的に拡大（ズーム）する場合は、画像情報の一部が出力されるが、その割合で細かく出力されるため表示画像処理部２１に送られる信号の総量は変わらない。
この出力を受けるカメラ画像処理部１４は、カメラ部１３が出力してくる画像信号を表示画像処理部２１に送信している。
【００８６】
この状態において、静電気等によって開始時点Ｆがずれてしまうと、表示部８に表示される拡大画像は、図１２（ａ）の２番目以降の図のようにずれてしまう。
本発明は、このずれを検出してリセットすることによって、拡大時においても１フレームのずれを修正することができる。
【００８７】
＜第４の変形例＞
上述した実施態様及び変形例においては、カメラ部１３が出力する信号の同期信号から取り込みが完了したことを示す取り込み完了信号を検出していた。また、取り込み開始は、カメラ画像処理部１４が出力する信号の同期信号から取り込み開始信号を検出していた。
しかし、この取り込み完了信号及び取り込み開始信号は、逆となっていてもよい。
つまり、取り込み開始信号は、カメラ部１３が出力する信号の同期信号から検出し、取り込み完了信号は、カメラ画像処理部１４が出力する信号の同期信号から検出する。
【００８８】
図１３は、第４の変形例の説明図である。
図１４は、拡大時における第４の変形例の説明図である。
【００８９】
図１３（ａ）及び（ｂ）は、このように、取り込み開始信号は、カメラ部１３が出力する信号の同期信号から検出し、取り込み完了信号は、カメラ画像処理部１４が出力する信号の同期信号から検出した場合の変形例の説明図である。
図１４（ａ）及び（ｂ）は、拡大時処理を行っている場合における、変形例の説明図である。
【００９０】
以上の実施形態によれば、携帯電話機１は、撮影画像の画像信号と共に同期信号を出力するカメラ部１３と、カメラ部１３から出力された画像信号を処理するカメラ画像処理部１４と、を有している。
また、カメラ画像処理部１４から出力された画像信号に基づく画像を表示する表示部８と、カメラ画像処理部１４を制御する制御部１５と、を有している。
そして、カメラ画像処理部１４は、同期信号に基づいて内部で独自に生成したタイミングに基づいてカメラ部１３から出力される前記画像信号に基づく画像の処理を継続的に実行する。
さらに、制御部１５は、カメラ画像処理部１４を監視し、画像信号に対する処理タイミングのずれを検出した場合には、カメラ画像処理部１４が行っている画像信号の表示部８への出力動作をリセットする。
このような構成としたことによって、静電気等による誤作動を最小限にすることができる。
【００９１】
制御部１５は、カメラ部１３の動作モードが静止画モードであるか、動画モードであるかを検出する動作モード検出手段を有し、動作モード検出手段が検出する動作モードに応じて、カメラ画像処理部１４の動作リセットする条件を異ならせる。
制御部１５の動作は静止画モードと動画モードとで異なっているが、このような構成とすることによって、要求される画像の処理に対する制御部１５の負荷状態に適合させることができる。
【００９２】
制御部１５は、タイミングのずれが一定範囲内の場合には、カメラ画像処理部１４のリセットを停止する。
このような構成によって、誤差や僅かなノイズ等による誤動作を防ぐことが可能となる。
【００９３】
制御部１５は、タイミングのずれが一定範囲を超えた場合に、ずれが生じた画像の配置を入れ替える。
このような構成によって、表示部８はずれのない画像を表示することができる。
【００９４】
制御部１５は、タイミングのずれが一定範囲を超えた場合に、ずれが生じた画像をオフセットする。
このような構成によって、表示部８はずれのない画像を表示することができる。
【００９５】
本発明は、以上の実施形態に限定されず、種々の態様で実施されてよい。
【００９６】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００９７】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、１３…カメラ部、１４…カメラ画像処理部、１５…制御部（同期信号監視手段）、１６…チップセット、１８…記憶部、２１…表示画像処理部、２２…タイマ、５１…通信部、５２…インターフェース、５３…音声入出力部、５８…システムバス
【図１】
2011035461.tif 000003
【図２】
2011035461.tif 000004
【図３】
2011035461.tif 000005
【図４】
2011035461.tif 000006
【図５】
2011035461.tif 000007
【図６】
2011035461.tif 000008
【図７】
2011035461.tif 000009
【図８】
2011035461.tif 000010
【図９】
2011035461.tif 000011
【図１０】
2011035461.tif 000012
【図１１】
2011035461.tif 000013
【図１２】
2011035461.tif 000014
【図１３】
2011035461.tif 000015
【図１４】
2011035461.tif 000016